(57)【要約】【課題】水平面に対し傾斜した集積面上に媒体を整然と集積できるようにする。【解決手段】リジェクトカセット１１６は、集積台３１の集積面３１Ｓを水平面に対し前方へ傾斜させると共に、その前端に集積ガイド１５０を取り付けた。またリジェクトカセット１１６は、筐体２１の前側部２１Ａに、集積台３１の前端部と隙間を空けるように紙幣突当部１４０を設け、その後面における上端近傍以外の部分に摩擦低減材１４２を貼り付けた。これによりリジェクトカセット１１６は、集積紙幣ＢＬＳを集積ガイド１５０により支持して集積面３１Ｓ上に保持し、集積台３１を集積紙幣ＢＬＳと共に下降させる際に、筐体２１の前側部２１Ａに対する摩擦力の発生を阻止でき、集積紙幣ＢＬＳの集積枚数が増加して最上面が集積ガイド１５０の上端を超えた場合には、その前端を紙幣突当部１４０の摩擦低減材１４２に当接させて円滑に下降させることができる。【選択図】図５
2014218353.tif 000002
【特許請求の範囲】
【請求項１】
紙葉状の媒体を収納すべき収納空間内へ前記媒体を放出する放出部と、
前記収納空間内に設けられ、前記放出部から放出された前記媒体を、鉛直方向に対し傾斜した集積面上に集積する集積台と、
前記媒体を集積する集積方向に沿って前記集積台を移動させる集積台移動部と、
前記集積台に取り付けられ、前記集積面上に集積された前記媒体の下辺又はその近傍と対向する集積対向面により当該媒体を支持する集積ガイドと、
前記収納空間を囲む周側面の内側に設けられ、前記集積台の前記集積面上に集積された前記媒体の下辺に対し前記集積対向面よりも遠方に位置する固定対向面を有する固定ガイドと
を具えることを特徴とする媒体収納装置。
【請求項２】
前記固定ガイドは、
前記固定対向面に、前記媒体の下辺又はその近傍に対する摩擦力を低減させる摩擦低減部が設けられている
ことを特徴とする請求項１に記載の媒体収納装置。
【請求項３】
前記固定ガイドは、
前記固定対向面における前記放出部から放出された前記媒体が当接する箇所に、当該媒体の下辺の下方への滑落を防止する滑落防止部が設けられている
ことを特徴とする請求項１に記載の媒体収納装置。
【請求項４】
前記集積ガイドは、
前記集積対向面に、当該下辺の下方への滑落を防止する滑落防止部が設けられている
ことを特徴とする請求項１に記載の媒体収納装置。
【請求項５】
前記集積ガイドは、
前記収納空間を囲む周側面と対向する周側対向面に、前記周側面の内側に周側面を当接させて回転するローラが設けられている
ことを特徴とする請求項１に記載の媒体収納装置。
【請求項６】
前記集積台移動部は、
前記集積台上に集積された前記媒体の質量に応じて当該集積台を集積方向に沿って下方へ移動させる
ことを特徴とする請求項１に記載の媒体収納装置。
【請求項７】
前記集積台移動部は、
前記媒体の重量に応じて伸縮する弾性体により前記集積台を集積方向に沿って下方へ移動させる
ことを特徴とする請求項６に記載の媒体収納装置。
【請求項８】
使用者から取引すべき紙葉状の媒体を取得する取得部と、
前記取得部から前記媒体を搬送する搬送部と、
前記搬送部により搬送された前記媒体を収納すべき収納空間内へ当該媒体を放出する放出部と、
前記収納空間内に設けられ、前記放出部から放出された前記媒体を、鉛直方向に対し傾斜した集積面上に集積する集積台と、
前記媒体を集積する集積方向に沿って前記集積台を移動させる集積台移動部と、
前記集積台に取り付けられ、前記集積面上に集積された前記媒体の下辺又はその近傍と対向する集積対向面により当該媒体を支持する集積ガイドと、
前記収納空間を囲む周側面の内側に設けられ、前記集積台の前記集積面上に集積された前記媒体の下辺に対し前記集積対向面よりも遠方に位置する固定対向面を有する固定ガイドと
を具えることを特徴とする媒体取引装置。
【発明の詳細な説明】
【技術分野】
【０００１】
本発明は検出装置及び媒体取引装置に関し、例えば紙幣等の媒体を投入して所望の取引を行う現金自動預払機（ＡＴＭ）等に適用して好適なものである。
【背景技術】
【０００２】
従来、金融機関やコンビニエンスストア等に設置される現金自動預払機においては、顧客との取引内容に応じて、例えば顧客に紙幣や硬貨等の現金を入金させ、また顧客へ現金を出金するようになされている。
【０００３】
現金自動預払機としては、例えば顧客との間で紙幣の授受を行う入出金部と、紙幣を搬送する搬送部と、投入された紙幣の金種及び真偽を鑑別する鑑別部と、投入された紙幣を一時的に保留する一時保留部と、金種ごとに紙幣を収納する紙幣カセットと、再使用すべきでない紙幣を収納するリジェクトカセットとを有するものが提案されている。
【０００４】
この現金自動預払機は、入金取引において、顧客が入出金部に紙幣を投入すると、投入された紙幣を搬送して鑑別部で鑑別し、正常紙幣と鑑別された紙幣を一時保留部へ収納する一方、取引すべきでないと鑑別された紙幣を入出金部へ戻して顧客に返却する。
【０００５】
続いて現金自動預払機は、顧客により入金金額が確定されると、一時保留部に収納している紙幣を繰り出してその金種を鑑別部により再鑑別し、鑑別された金種に応じて各紙幣カセットに収納すると共に、損傷の程度が大きいと鑑別された紙幣をリジェクトカセットに収納する。
【０００６】
このリジェクトカセットとしては、例えば水平面に対し傾斜された載置台上に紙幣を集積することにより、紙幣の紙面を水平に向けて集積する場合よりも専有面積を縮小し、現金自動預払機の小型化に寄与するようになされたものが提案されている（例えば、特許文献１参照）。
【０００７】
例えば図１４（Ａ）に示す従来のリジェクトカセット８１６は、筐体２１の上側に紙幣を放出する放出部２２を有すると共に、該筐体２１の内部に形成された内部空間２１Ｓ内に集積台３１を有している。
【０００８】
この集積台３１は、その上面である集積面３１Ｓが水平面に対し傾斜されており、この集積面３１Ｓに紙幣の紙面を対向させるようにして紙幣を上下方向に集積する。また集積台３１は、図示しない移動軸に沿って上下方向に移動し得るようになされ、且つ集積スプリング３３により下方から支持されている。
【０００９】
また筐体２１における前側部２１Ａの内側には、集積面３１Ｓ上に集積された紙幣（以下これを集積紙幣ＢＬＳと呼ぶ）の前側端部を突き当てさせるための紙幣突当部８４０が取り付けられている。
【００１０】
集積スプリング３３は、集積台３１上に集積された集積紙幣ＢＬＳの重量に応じて圧縮され、図１４（Ｂ）に示すように、集積台３１及び集積紙幣ＢＬＳを徐々に下方へ移動させる。これにより従来のリジェクトカセット８１６は、集積紙幣ＢＬＳの最上面と内部空間２１Ｓの上部に形成された上部ガイド２９と集積台３１の間にほぼ一定の間隔（以下これを集積間隔ＤＣと呼ぶ）を確保でき、紙幣を順次集積することができる。
【先行技術文献】
【特許文献】
【００１１】
【特許文献１】特開２０１２−４６３０１号公報（第６図等）
【発明の概要】
【発明が解決しようとする課題】
【００１２】
しかしながら、かかる構成のリジェクトカセット８１６では、集積紙幣ＢＬＳに重力が作用することにより、当該集積紙幣ＢＬＳから集積面３１Ｓ及び紙幣突当部８４０の双方に力が加えられる。
【００１３】
このためリジェクトカセット８１６では、集積紙幣ＢＬＳと紙幣突当部８４０との間に摩擦力が発生し、集積台３１Ｓ及び集積紙幣ＢＬＳの下方への移動が阻害されることになる。
【００１４】
この結果リジェクトカセット８１６では、集積紙幣ＢＬＳの最上面と上部ガイド２９との間に集積間隔ＤＣを確保することができず、放出部２２から新たに放出される紙幣と集積紙幣ＢＬＳとの衝突等により当該紙幣を詰まらせてしまい、紙幣を適切に集積することができなくなる、という問題があった。
【００１５】
本発明は以上の点を考慮してなされたもので、水平面に対し傾斜した集積面上に媒体を整然と集積し得る媒体集積装置及び媒体取引装置を提案しようとするものである。
【課題を解決するための手段】
【００１６】
かかる課題を解決するため本発明の媒体収納装置においては、紙葉状の媒体を収納すべき収納空間内へ媒体を放出する放出部と、収納空間内に設けられ、放出部から放出された媒体を、鉛直方向に対し傾斜した集積面上に集積する集積台と、媒体を集積する集積方向に沿って集積台を移動させる集積台移動部と、集積台における傾斜面の下辺又はその近傍に取り付けられ、集積面上に集積された媒体の下辺又はその近傍と対向する集積対向面により当該媒体を支持する集積ガイドと、収納空間を囲む周側面の内側に設けられ、集積台の集積面上に集積された媒体の下辺に対し集積対向面よりも遠方に位置する固定対向面を有する固定ガイドとを設けるようにした。
【００１７】
また本発明の媒体取引装置においては、使用者から取引すべき紙葉状の媒体を取得する取得部と、取得部から媒体を搬送する搬送部と、搬送部により搬送された媒体を収納すべき収納空間内へ当該媒体を放出する放出部と、収納空間内に設けられ、放出部から放出された媒体を、鉛直方向に対し傾斜した集積面上に集積する集積台と、媒体を集積する集積方向に沿って集積台を移動させる集積台移動部と、集積台における傾斜面の下辺又はその近傍に取り付けられ、集積面上に集積された媒体の下辺又はその近傍と対向する集積対向面により当該媒体を支持する集積ガイドと、収納空間を囲む周側面の内側に設けられ、集積台の集積面上に集積された媒体の下辺に対し集積対向面よりも遠方に位置する固定対向面を有する固定ガイドとを設けるようにした。
【００１８】
本発明は、放出部から放出された紙幣が集積面上に集積されてなる集積紙幣の下辺を集積ガイドの集積対向面に当接させて支持することにより、また当該集積ガイドを超えて集積された紙幣の下辺を固定ガイドの固定対向面に当接させることにより、収納空間を囲む周側面に集積紙幣を摺動させること無く、集積台及び集積紙幣を円滑に下降させることができる。
【発明の効果】
【００１９】
本発明によれば、放出部から放出された紙幣が集積面上に集積されてなる集積紙幣の下辺を集積ガイドの集積対向面に当接させて支持することにより、また当該集積ガイドを超えて集積された紙幣の下辺を固定ガイドの固定対向面に当接させることにより、収納空間を囲む周側面に集積紙幣を摺動させること無く、集積台及び集積紙幣を円滑に下降させることができる。かくして本発明は、水平面に対し傾斜した集積面上に媒体を整然と集積し得る媒体集積装置及び媒体取引装置を実現できる。
【図面の簡単な説明】
【００２０】
【図１】現金自動預払機の構成を示す略線的斜視図である。
【図２】紙幣入出金機の構成を示す略線図である。
【図３】第１の実施の形態によるリジェクトカセットの構成を示す略線図である。
【図４】第１の実施の形態によるリジェクトカセットの構成を示す略線的斜視図である。
【図５】第２の実施の形態によるリジェクトカセットの構成を示す略線図である。
【図６】第２の実施の形態によるリジェクトカセットの構成を示す略線的斜視図である。
【図７】第２の実施の形態によるリジェクトカセットの構成を示す略線図である。
【図８】第３の実施の形態によるリジェクトカセットの構成を示す略線図である。
【図９】第４の実施の形態によるリジェクトカセットの構成を示す略線図である。
【図１０】第５の実施の形態によるリジェクトカセットの構成を示す略線図である。
【図１１】集積ローラの回転を示す略線図である。
【図１２】他の実施の形態によるリジェクトカセットの構成を示す略線図である。
【図１３】他の実施の形態による集積ローラの構成を示す略線図である。
【図１４】従来のリジェクトカセットの構成を示す略線図である。
【発明を実施するための形態】
【００２１】
以下、発明を実施するための形態（以下実施の形態とする）について、図面を用いて説明する。
【００２２】
［１．第１の実施の形態］
［１−１．現金自動預払機の全体構成］
図１に外観を示すように、現金自動預払機１は、箱状の筐体２を中心に構成されており、例えば金融機関等に設置され、顧客との間で入金取引や出金取引等の現金に関する取引を行うようになされている。
【００２３】
筐体２は、その前側に顧客が対峙した状態で紙幣ＢＬの投入やタッチパネルによる操作等をしやすい箇所、すなわち前面の上部から上面に渡る部分が斜めに切り落とされたような形状となっており、この部分に接客部３が設けられている。
【００２４】
接客部３は、顧客との間で現金や通帳等を直接やり取りすると共に、取引に関する情報の通知や操作指示の受付を行うようになされており、カード入出口４、入出金口５、操作表示部６、テンキー７、及びレシート発行口８が設けられている。
【００２５】
カード入出口４は、キャッシュカード等の各種カードが挿入または排出される部分である。カード入出口４の奥側には、各種カードに磁気記録された口座番号等の読み取りを行うカード処理部（図示せず）が設けられている。
【００２６】
入出金口５は、顧客が入金する紙幣ＢＬが投入されると共に、顧客へ出金する紙幣ＢＬが排出される部分である。また入出金口５は、シャッタを駆動することにより開放又は閉塞するようになされている。因みに紙幣ＢＬは、例えば長方形の紙で構成されている。
【００２７】
操作表示部６は、取引に際して操作画面を表示するＬＣＤ（Liquid Crystal Display）と、取引の種類の選択、暗証番号や取引金額等を入力するタッチセンサとが一体化されたタッチパネルとなっている。
【００２８】
テンキー７は、「０」〜「９」の数字等の入力を受け付ける物理キーであり、暗証番号や取引金額等の入力操作時に用いられる。
【００２９】
レシート発行口８は、取引処理の終了時に取引内容等を印字したレシートを発行する部分である。因みにレシート発行口８の奥側には、レシートに取引内容等を印字するレシート処理部（図示せず）が設けられている。
【００３０】
以下では、現金自動預払機１のうち顧客が対峙する側を前側とし、その反対を後側とし、当該前側に対峙した顧客から見て左及び右をそれぞれ左側及び右側とし、さらに上側及び下側を定義して説明する。
【００３１】
筐体２内には、現金自動預払機１全体を統括制御する主制御部９や、紙幣に関する種々の処理を行う紙幣入出金機１０等が設けられている。
【００３２】
主制御部９は、図示しないＣＰＵ（Central Processing Unit）を中心に構成されており、図示しないＲＯＭやフラッシュメモリ等から所定のプログラムを読み出して実行することにより、入金取引や出金取引等の種々の処理を行うようになされている。
【００３３】
また主制御部９は、内部にＲＡＭ（Random Access Memory）、ハードディスクドライブやフラッシュメモリ等でなる記憶部を有しており、この記憶部に種々の情報を記憶させるようになされている。
【００３４】
因みに筐体２は、前面側やその後面側等の一部の側面が開閉可能な扉により構成されている。すなわち筐体２は、顧客との間で現金に関する取引を行う取引動作時には、図１に示したように各扉を閉塞することにより、紙幣入出金機１０内に収納している紙幣を保護する。一方筐体２は、作業者等が保守作業を行う保守作業時には、必要に応じて各扉を開放することにより、内部の各部に対する作業を容易に行わせ得るようになされている。
【００３５】
紙幣入出金機１０は、図２に側面図を示すように、内部に紙幣に関する種々の処理を行う複数の部分が組み込まれている。また紙幣入出金機１０の各部分は、紙幣制御部１１により制御されるようになされている。
【００３６】
紙幣制御部１１は、主制御部９と同様、図示しないＣＰＵを中心に構成されており、図示しないＲＯＭやフラッシュメモリ等から所定のプログラムを読み出して実行することにより、紙幣の搬送先を決定する処理等、種々の処理を行うようになされている。
【００３７】
また紙幣制御部１１は、内部にＲＡＭ及びフラッシュメモリ等でなる記憶部を有しており、この記憶部に種々の情報を記憶させるようになされている。
【００３８】
紙幣制御部１１は、例えば顧客が紙幣を入金する入金取引を行う場合、操作表示部６（図１）を介して所定の操作入力を受け付けた後、シャッタを開いて入出金部１２内に形成された収容空間１２Ａへ紙幣を投入させる。
【００３９】
入出金部１２は、収容空間１２Ａに紙幣が投入されると、シャッタを閉じて当該収容空間１２Ａ内から紙幣を１枚ずつ繰り出し、搬送部１３へ受け渡す。搬送部１３は、複数のローラやベルト等により構成されており、長方形の紙葉状に構成された紙幣を短辺方向に沿って進行させ、鑑別部１４へ搬送する。
【００４０】
鑑別部１４は、その内部で紙幣を搬送しながら、光学素子や磁気検出素子等を用いて当該紙幣の金種及び真偽、並びに損傷の程度等を鑑別し、その鑑別結果を紙幣制御部１１へ通知する。これに応じて紙幣制御部１１は、取得した鑑別結果に基づいて当該紙幣の搬送先を決定する。
【００４１】
このとき搬送部１３は、鑑別部１４において正常紙幣と鑑別された紙幣を一時保留部１５へ搬送する等して一時的に保留させる一方、取引すべきでないと鑑別されたリジェクト紙幣を入出金部１２へ搬送して顧客に返却する。
【００４２】
その後紙幣制御部１１は、操作表示部６を介して顧客に入金金額を確定させ、一時保留部１５に保留している紙幣を搬送部１３により鑑別部１４へ搬送してその金種及び損傷の程度等を鑑別させ、その鑑別結果を取得する。
【００４３】
そして紙幣制御部１１は、紙幣の損傷の程度が大きければ、これを再利用すべきでない紙幣として搬送部１３によりリジェクトカセット１６へ搬送して収納させ、損傷の程度が小さければ、これを再利用すべき紙幣として搬送部１３により搬送させ、その金種に応じた紙幣カセット１７に収納させるようになされている。
【００４４】
また紙幣制御部１１は、例えば顧客が紙幣を出金する出金取引を行う場合、操作表示部６（図１）を介して所定の操作入力を受け付けた後、出金すべき金額に応じた紙幣を紙幣カセット１７から繰り出させ、搬送部１３により鑑別部１４へ搬送させる。
【００４５】
続いて紙幣制御部１１は、この紙幣を鑑別部１４により鑑別させた上で、搬送部１３により入出金部１２へ搬送して収容空間１２Ａ内に集積させ、入出金口５（図１）のシャッタを開いて顧客に取り出させる。
【００４６】
このようにリジェクトカセット１６は、損傷の程度が大きく再利用されないリジェクト紙幣が搬送部１３により搬送されてくると、これを内部に収納するようになされている。
【００４７】
［１−２．リジェクトカセットの構成］
次に、リジェクトカセット１６の構成について説明する。図３（Ａ）及び図４に示すように、リジェクトカセット１６は、全体として直方体状に構成された筐体２１内に複数の部品が取り付けられている。
【００４８】
因みに図３は、リジェクトカセット１６を左側から見た側面図を表し、図４はその一部の部品を左前方の上寄りから見下ろした斜視図を表している。なお説明の都合上、図３及び図４では、各部品を簡略化しており、さらに一部の部品を省略し、或いは透過させて表している。
【００４９】
筐体２１（図３）は、前後、上下及び左右の各側面をほぼ閉塞しており、その内部に収納空間としての内部空間２１Ｓを形成している。内部空間２１Ｓは、左右方向から見て前側面及び後側面をそれぞれ上底及び下底とする台形状に形成されている。
【００５０】
筐体２１内の上側には、搬送部１３から搬送されてきた紙幣を内部空間２１Ｓ内へ放出する放出部２２が設けられている。放出部２２には、紙幣を案内する搬送ガイド２３及び２４により前後から挟まれるように、上下方向に沿った搬送路２５が形成されている。
【００５１】
搬送ガイド２３は、搬送路２５の後ろ側に位置しており、上下方向の長さが比較的短くなっている。また搬送ガイド２３には、円柱状の駆動ローラ２６が設けられている。
【００５２】
駆動ローラ２６は、中心軸を左右方向に向けており、搬送ガイド２３に穿設された孔部から周側面の一部を搬送路２５側に露出させている。また駆動ローラ２６は、図示しないアクチュエータから駆動力が伝達されることにより、矢印Ｒ１方向へ回転する。
【００５３】
搬送ガイド２４は、搬送路２５の前側に位置しており、上下方向の長さが比較的長くなっている。また搬送ガイド２４には、円柱状のアイドルローラ２７が設けられている。
【００５４】
アイドルローラ２７は、駆動ローラ２６と同様に中心軸を左右方向に向けており、この駆動ローラ２６と対向する高さにおいて、搬送ガイド２４に穿設された孔部から周側面の一部を搬送路２５側に露出させている。またアイドルローラ２７は、自在に回転するようになされており、駆動ローラ２６が矢印Ｒ１方向へ回転すると、これに伴って矢印Ｒ２方向へ回転する。
【００５５】
かかる構成により放出部２２は、上側に位置する搬送部１３（図２）から、短辺方向を進行方向とする紙幣が搬送されてくると、互いに対向する駆動ローラ２６及びアイドルローラ２７によりこの紙幣を挟持する。
【００５６】
続いて放出部２２は、駆動ローラ２６を回転させることにより、挟持している紙幣を搬送路２５に沿って下方へ搬送し、その後内部空間２１Ｓ内へ放出するようになされている。
【００５７】
一方、筐体２１内における放出部２２の下方には、集積台３１が設けられている。集積台３１は、上下方向に薄く左右方向に長い板状の部材を左方向から見て時計方向に所定の傾斜角度θだけ傾斜させたような構成となっている。このため集積台３１の上面である集積面３１Ｓは、水平面に対し傾斜角度θだけ前方へ傾斜している。
【００５８】
集積台３１は、放出部２２から放出された紙幣を、水平面に対し傾斜角度θだけ前方へ傾斜した集積面３１Ｓ、又はこの集積面３１Ｓ上に既に集積されている紙幣（以下これを集積紙幣ＢＬＳと呼ぶ）の上に載せる。
【００５９】
ところで筐体２１の内部空間２１Ｓ内における左右それぞれには、図４に示すように、細長い円柱状でなりその中心軸を上下方向に向けた移動軸３２が設けられている。
【００６０】
一方、集積台３１は、図４に示すように、左右それぞれに移動ガイド３１Ａが取り付けられている。移動ガイド３１Ａは、上下方向に貫通する軸孔が穿設されている。この軸孔は、移動軸３２の直径よりも僅かに大きい直径の丸孔となっており、当該移動軸３２が挿通されている。
【００６１】
かかる構成により集積台３１は、移動ガイド３１Ａの軸孔を移動軸３２に摺動させながら、内部空間２１Ｓ内を移動軸３２に沿って上下方向に移動することができる。
【００６２】
集積台３１は、内部空間２１Ｓ内で最も上側に位置する場合、その後ろ上端部を搬送ガイド２３の下面に当接させる。このとき集積台３１は、搬送ガイド２４の下前方に延設された上部ガイド２９と集積面３１Ｓとの間に、所定の集積間隔ＤＣを空ける。
【００６３】
また集積台３１は、左右の集積スプリング３３を介して筐体２１の底部に支持されている。集積スプリング３３は、いわゆるコイルスプリングとなっており、図４に示したように、移動軸３２の周囲を取り囲むように取り付けられている。
【００６４】
集積台３１に紙幣が載置されていない場合（図３（Ａ））、集積スプリング３３は、当該集積台３１を最も上側へ持ち上げ、当該集積台３１の後端最上部を搬送ガイド２４の下面に当接させ、集積面３１Ｓを上部ガイド２９から集積間隔ＤＣだけ引き離す。
【００６５】
一方、集積台３１に紙幣が載置された場合、集積スプリング３３は、図３（Ｂ）に示すように、載置された紙幣（すなわち集積紙幣ＢＬＳ）の重量に応じて圧縮される。ここで集積スプリング３３は、集積紙幣ＢＬＳの最上面と上部ガイド２９との間隔をほぼ集積間隔ＤＣに保つよう、ばね定数等が適切に選定されている。
【００６６】
かかる構成に加えて、筐体２１における前側部２１Ａの内側には、２本の紙幣突当部４０が取り付けられている。
【００６７】
固定ガイドとしての紙幣突当部４０は、全体として上下方向に長く、左右方向に短く、且つ前後方向に薄い直方体状に構成されている。この紙幣突当部４０は、基板４１と、摩擦低減材４２と、ビルストッパ４３とにより構成されている。
【００６８】
基板４１は、上下方向に長く、左右方向に短く、且つ前後方向に薄い直方体状ないし板状に形成され、上部ガイド２９の下端付近から筐体２１の下端近傍にかけて、上下方向に比較的長い範囲を占めている。また基板４１は、強度が比較的高く、容易に変形しないようになされている。
【００６９】
摩擦低減部としての摩擦低減材４２は、テープ状の部材でなり、基板４１の後面、すなわち集積台３１及び集積紙幣ＢＬＳと対向する面のうち、上端（すなわち上部ガイド２９の下端付近）からおおむね集積間隔ＤＣの範囲となる上端近傍を除いた部分に貼り付けられている。この摩擦低減材４２は、その後面における摩擦係数が小さく抑えられている。
【００７０】
滑落防止部としてのビルストッパ４３は、基板４１の後面における上端近傍、すなわち上部ガイド２９の下端付近からおおむね集積間隔ＤＣの範囲に設けられている。ビルストッパ４３の後面部分は、左右方向への投影形状を鋸歯状とするような、すなわち上下方向に関し小さな段差が繰り返し出現するような形状に形成されている。
【００７１】
また紙幣突当部４０は、摩擦低減材４２の後面を集積台３１における前側の端面にほぼ隙間なく当接するよう、その取付位置が調整されている。
【００７２】
このようにリジェクトカセット１６は、紙幣を放出する放出部２２や水平面に対し傾斜された集積面３１Ｓを有する集積台３１に加えて、筐体２１の前側部２１Ａに紙幣突当部４０が設けられている。
【００７３】
［１−３．動作及び効果］
以上の構成において、第１の実施の形態によるリジェクトカセット１６は、集積台３１の水平面に対し集積面３１Ｓを前方へ傾斜させると共に、筐体２１の前側部２１Ａにおける当該集積台３１の前端部とほぼ隙間なく当接する位置に、紙幣突当部４０を設けた。
【００７４】
紙幣突当部４０は、集積台３１と当接する後面のうち上端近傍を除いた部分に摩擦低減材４２を貼り付け、上端近傍にビルストッパ４３を設けた。
【００７５】
リジェクトカセット１６は、搬送部１３から紙幣ＢＬが搬送されると、放出部２２によりこれを下方へ搬送した上で内部空間２１Ｓ内へ放出する。
【００７６】
ここで放出された紙幣ＢＬは、その先端を集積台３１の集積面３１Ｓ又は集積紙幣ＢＬＳの最上面に当接させ、傾斜面の下側である前下方へ向ける。続いて紙幣ＢＬは、放出部２２により放出された際の勢いや重力の作用等により、集積面３１Ｓ又は集積紙幣ＢＬＳの最上面に沿って前下方へ進行し、やがてビルストッパ４３に当接して静止する。
【００７７】
これにより紙幣ＢＬは、その前端、すなわち下辺が紙幣突当部４０に当接した状態で集積面３１Ｓ又は集積紙幣ＢＬＳの上に集積され、当該集積紙幣ＢＬＳの一部となる。すなわち集積紙幣ＢＬＳは、集積面３１Ｓ上で上下方向を集積方向として複数の紙幣ＢＬが集積されることにより形成される。
【００７８】
集積スプリング３３は、集積台３１上の集積紙幣ＢＬＳの重量が増加したことにより圧縮され、当該集積台３１及び集積紙幣ＢＬＳを下方向へ、すなわち集積方向に沿った方向へ下降させようとする。また集積台３１上の集積紙幣ＢＬＳは、集積面３１Ｓが傾斜されているため、当該集積台３１に対し常に前下方へ滑り降りようとし、重力に応じた力を紙幣突当部４０の後面側に加えて摩擦を生じさせようとする。
【００７９】
これに対し紙幣突当部４０は、後面側における集積紙幣ＢＬＳが当接する部分に、摩擦係数が小さい摩擦低減材４２が貼り付けられている。このため集積台３１及び集積紙幣ＢＬＳは、摩擦低減材４２に対して摺動することにより、当該摩擦低減材４２との間で摩擦力を殆ど生じることが無く、また筐体２１の前側部２１Ａに引っ掛かることも無く、円滑に下降することができる。
【００８０】
この結果リジェクトカセット１６は、集積紙幣ＢＬＳの最上面と上部ガイド２９との間隔をほぼ集積間隔ＤＣに保つことができ、次に放出される紙幣ＢＬを詰まらせること無く集積紙幣ＢＬＳの上に集積させることができる。
【００８１】
また紙幣突当部４０は、基板４１の後面における上端近傍、すなわち上部ガイド２９の下端付近からおおむね集積間隔ＤＣの範囲にビルストッパ４３を設けた。
【００８２】
放出部２２から放出された紙幣ＢＬは、集積面３１Ｓ又は集積紙幣ＢＬＳの最上面に沿って前下方へ進行した後、紙幣突当部４０のビルストッパ４３に衝突する。このときビルストッパ４３は、形成されている段差に紙幣ＢＬの先端部分を引っ掛けることができるため、この紙幣ＢＬを下方へ滑らせること無く、集積紙幣ＢＬＳの最上面に載置した状態に維持することができる。
【００８３】
そのうえ紙幣突当部４０は、後面のうち、上部ガイド２９の下端付近からおおむね集積間隔ＤＣの範囲にのみビルストッパ４３を設け、それ以外の部分に摩擦低減材４２を貼り付けた。
【００８４】
このため紙幣突当部４０は、放出部２２から放出された紙幣ＢＬにおける前下方向へ進行しようとする勢いをビルストッパ４３により抑え込むことと、集積台３１と共に下降しようとする集積紙幣ＢＬＳとの間に生じる摩擦を摩擦低減材４２により低減させることとを、高い次元で両立させることができる。
【００８５】
以上の構成によれば、第１の実施の形態によるリジェクトカセット１６は、集積台３１の集積面３１Ｓを水平面に対し前方へ傾斜させると共に、当該集積台３１の前端部とほぼ隙間なく当接する位置に紙幣突当部４０を設け、この紙幣突当部４０の後面のうち、上端近傍にビルストッパ４３を設け、それ以外の部分に摩擦低減材４２を貼り付けた。これによりリジェクトカセット１６は、放出部２２から放出された紙幣ＢＬを集積面３１Ｓ又は集積紙幣ＢＬＳの上で前下方へ進行させ、やがてビルストッパ４３に当接して静止させ、集積紙幣ＢＬＳの一部とすることができる。さらにリジェクトカセット１６は、集積台３１及び集積紙幣ＢＬＳを摩擦低減材４２と摺動させることにより、摩擦力を殆ど生じることが無く、またや筐体２１の前側部２１Ａに引っ掛けることも無く、円滑に下降させることができる。
【００８６】
［２．第２の実施の形態］
第２の実施の形態では、第１の実施の形態によるリジェクトカセット１６に代えて、図３及び図４とそれぞれ対応する図５及び図６に示すリジェクトカセット１１６が用いられる。
【００８７】
［２−１．リジェクトカセットの構成］
リジェクトカセット１１６は、第１の実施の形態によるリジェクトカセット１６と比較して、２個の紙幣突当部４０に代わる４個の紙幣突当部１４０を有する点と、２個の集積ガイド１５０を有する点とが相違するものの、他の部分については同様に構成されている。
【００８８】
各集積ガイド１５０は、上下方向に長く前後方向に薄い直方体状に構成されており、その下端近傍において集積台３１の前端に、互いに左右方向に所定の間隔を空けるように取り付けられている。
【００８９】
このため集積ガイド１５０は、集積台３１の集積面３１Ｓ上に集積されると共に重力の作用により当該集積面３１Ｓ上で前下方へ滑り落ちようとする集積紙幣ＢＬＳを、当該集積台３１上に集積された状態に支持することができる。
【００９０】
また集積ガイド１５０は、集積台３１が上下方向へ移動される際に、当該集積台３１及び集積紙幣ＢＬＳと一体に上下方向へ移動する。換言すれば、集積ガイド１５０は、集積台３１及び集積紙幣ＢＬＳが上下方向へ移動する際に当該集積紙幣ＢＬＳと摺動すること無く、当該集積紙幣ＢＬＳを支持し続ける。
【００９１】
さらに集積ガイド１５０の後面であって集積紙幣ＢＬＳの前端と対向する面（以下これを集積対向面とも呼ぶ）には、第１の実施の形態におけるビルストッパ４３と同様に、段差状でなるビルストッパ１５１が形成されている。
【００９２】
因みに上部ガイド２９の前端近傍には、集積ガイド１５０を挿通させるための所定の孔部が穿設されている。
【００９３】
ところで集積ガイド１５０は、集積台３１が最も上側に位置するときにもその上端を筐体２１内に止めるように、その長さが設定されている。
【００９４】
このためリジェクトカセット１１６は、図５（Ｂ）に示すように、集積台３１の集積面３１Ｓ上に多数の紙幣ＢＬを集積して集積紙幣ＢＬＳとした場合に、当該集積紙幣ＢＬＳにおける前側の上端を、集積ガイド１５０の上端よりも高い位置にまで積み上げる場合がある。
【００９５】
一方、固定ガイドとしての紙幣突当部１４０は、第１の実施の形態による紙幣突当部４０と同様、基板４１と対応する基板１４１の後面であって集積紙幣ＢＬＳの前端と対向する面（以下これを固定対向面とも呼ぶ）に、摩擦低減材４２及びビルストッパ４３とそれぞれ対応する摩擦低減材１４２及びビルストッパ１４３が設けられている。
【００９６】
また紙幣突当部１４０は、紙幣突当部４０と比較して、左右方向の長さ（すなわち幅）が約半分程度に短くなっているものの、前後方向及び上下方向の長さについてはほぼ同等となっている。
【００９７】
紙幣突当部１４０は、図５に示したように、その上端が上部ガイド２９の下端付近に位置しており、上部ガイド２９の下端付近からおおむね集積間隔ＤＣの範囲にのみビルストッパ１４３を位置させている。
【００９８】
また紙幣突当部１４０は、図７に平面図を示すように、２本の集積ガイド１５０それぞれに対し、左右それぞれに僅かな隙間を空けるように配置されている。さらに紙幣突当部１４０は、その後面が集積ガイド１５０の後面よりも前側に位置することにより、集積台３１及び集積紙幣ＢＬＳの前面との間に隙間を空けている。
【００９９】
［２−２．動作及び効果］
以上の構成において、第２の実施の形態によるリジェクトカセット１１６は、集積台３１の水平面に対し集積面３１Ｓを前方へ傾斜させると共に、その前端に集積ガイド１５０を取り付けた。またリジェクトカセット１１６は、筐体２１の前側部２１Ａに、集積台３１の前端部と隙間を空けるように紙幣突当部１４０を設けた。
【０１００】
リジェクトカセット１１６は、搬送部１３から紙幣ＢＬが搬送されると、放出部２２によりこれを下方へ搬送した上で内部空間２１Ｓ内へ放出する。
【０１０１】
ここで放出された紙幣ＢＬは、その先端を集積台３１の集積面３１Ｓ又は集積紙幣ＢＬＳの最上面に当接させ、傾斜面の下側である前下方へ向ける。続いて紙幣ＢＬは、放出部２２により放出された際の勢いや重力の作用等により、集積面３１Ｓ又は集積紙幣ＢＬＳの最上面に沿って前下方へ進行し、前端に取り付けられた集積ガイド１５０に当接して静止する。これにより紙幣ＢＬは、集積面３１Ｓ又は集積紙幣ＢＬＳの上に集積され、当該集積紙幣ＢＬＳの一部となる。
【０１０２】
集積台３１上の集積紙幣ＢＬＳは、集積面３１Ｓが傾斜されているため、当該集積台３１に対し常に前下方へ滑り降りようするものの、集積ガイド１５０に支持されるため、集積面３１Ｓ上に集積された状態に止まる。
【０１０３】
また集積スプリング３３は、集積台３１上の集積紙幣ＢＬＳの重量が増加したことにより圧縮され、当該集積台３１及び集積紙幣ＢＬＳを下降させようとする。このとき集積紙幣ＢＬＳは、集積ガイド１５０により支持されているため、集積面３１Ｓ上から前下方へ滑り落ちること無く、また筐体２１の前側部２１Ａに当接することも無く、円滑に下降することができる。
【０１０４】
ところでリジェクトカセット１１６では、図６（Ｂ）に示したように、集積台３１の集積面３１Ｓ上に紙幣ＢＬを集積することにより、集積紙幣ＢＬＳにおける前側の一部分が集積ガイド１５０の上端よりも高くなることがある。
【０１０５】
この場合、集積紙幣ＢＬＳを構成する紙幣ＢＬのうち前端が集積ガイド１５０の上端よりも高い位置にあるものは、当該集積ガイド１５０による支持を受けることができず、前下方へ進行し、紙幣突当部１４０に当接して支持される。
【０１０６】
このためリジェクトカセット１１６は、集積紙幣ＢＬＳの重量増加に伴い集積スプリング３３が圧縮されて集積台３１と共に下降する際、当該集積紙幣ＢＬＳのうち一部の紙幣ＢＬを紙幣突当部１４０に摺動させることになる。
【０１０７】
この点においてリジェクトカセット１１６は、第１の実施の形態と同様、紙幣突当部１４０の後面に貼り付けられた摩擦低減材１４２の作用により、この一部の紙幣ＢＬとの間に摩擦力を殆ど生じること無く、円滑に下降させることができる。
【０１０８】
また集積ガイド１５０は、その後面に滑落防止部としてのビルストッパ１５１を形成した。このためリジェクトカセット１１６は、放出部２２から放出された紙幣ＢＬの先端を、集積紙幣ＢＬＳの前端における最上面が集積ガイド１５０の上端よりも低ければこのビルストッパ１５１に当接させ、高ければ紙幣突当部１４０のビルストッパ１４３に当接させることができる。
【０１０９】
これによりリジェクトカセット１１６は、この紙幣ＢＬの先端を集積紙幣ＢＬＳの前面と集積ガイド１５０の後面との間に潜り込ませること無く、この紙幣ＢＬを集積紙幣ＢＬＳの最上面に載置した状態に維持することができる。
【０１１０】
そのうえ紙幣突当部１４０は、第１の実施の形態による紙幣突当部４０と同様、後面のうち、上部ガイド２９の下端付近からおおむね集積間隔ＤＣの範囲にのみビルストッパ１４３を設け、それ以外の部分に摩擦低減材１４２を貼り付けた。
【０１１１】
このため紙幣突当部１４０は、やはり第１の実施の形態と同様、放出部２２から放出された紙幣ＢＬにおける前下方向へ進行しようとする勢いをビルストッパ１４３により抑え込むことと、集積台３１と共に下降する集積紙幣ＢＬＳの一部との間に生じる摩擦を摩擦低減材１４２により低減させることとを、高い次元で両立させることができる。
【０１１２】
以上の構成によれば、第２の実施の形態によるリジェクトカセット１１６は、集積台３１の集積面３１Ｓを水平面に対し前方へ傾斜させると共に、その前端に集積ガイド１５０を取り付けた。またリジェクトカセット１１６は、筐体２１の前側部２１Ａに、集積台３１の前端部と隙間を空けるように紙幣突当部１４０を設け、その後面における上端近傍以外の部分に摩擦低減材１４２を貼り付けた。これによりリジェクトカセット１１６は、集積紙幣ＢＬＳを集積ガイド１５０により支持して集積面３１Ｓ上に保持し、集積台３１を集積紙幣ＢＬＳと共に下降させる際に、筐体２１の前側部２１Ａに対する摩擦力の発生を阻止でき、集積紙幣ＢＬＳの集積枚数が増加して最上面が集積ガイド１５０の上端を超えた場合には、その前端を紙幣突当部１４０の摩擦低減材１４２に当接させて円滑に下降させることができる。
【０１１３】
［３．第３の実施の形態］
第３の実施の形態では、第１の実施の形態によるリジェクトカセット１６に代えて、図３（Ａ）と対応する図８（Ａ）に示すリジェクトカセット２１６が用いられる。
【０１１４】
リジェクトカセット２１６は、第１の実施の形態によるリジェクトカセット１６と比較して、２個の紙幣突当部４０が省略されると共に２個の集積ガイド２５０を有する点が相違するものの、他の部分については同様に構成されている。
【０１１５】
集積ガイド２５０は、互いに外径が段階的に相違する複数の中空の円筒状部材を順次入れ子状に組み合わせており、全体として上下方向に伸縮可能な棒状に構成されている。
【０１１６】
この集積ガイド２５０は、最も外側の円筒における下端近傍が集積台３１における前寄りの箇所に取り付けられており、また最も内側の円筒における上端近傍が上部ガイド２９よりも上側において筐体２１に固定されている。
【０１１７】
このため集積ガイド２５０は、集積台３１の上下方向への移動に伴ってその全長を伸縮させながら、集積台３１の前端と上部ガイド２９の前下端との間を常に直線的に繋ぐことができる。
【０１１８】
以上の構成において、第３の実施の形態によるリジェクトカセット２１６は、集積台３１に紙幣ＢＬが集積されておらず最も上側に位置しているときに、集積ガイド２５０を最も短縮させる。この状態でリジェクトカセット２１６は、放出部２２から放出された紙幣ＢＬを前下方へ進行させ、集積ガイド２５０に衝突させる。
【０１１９】
このときリジェクトカセット２１６は、紙幣ＢＬの前端を筐体２１の前側部２１Ａに当接させること無く、集積ガイド２５０の後面に当接させた状態で、集積台３１の集積面３１Ｓ上に載置することができる。
【０１２０】
すなわちリジェクトカセット２１６は、集積台３１の集積面３１Ｓ上に載置された紙幣ＢＬについて、集積ガイド２５０の後面によりその前端を支持し、前下方への滑降を防ぐことができる。
【０１２１】
その後リジェクトカセット２１６は、集積台３１に紙幣ＢＬが順次集積されてその重量が増加してくると、集積スプリング３３を圧縮し、且つ集積ガイド２５０を伸張させながら集積台３１を下降させる。
【０１２２】
このとき集積紙幣ＢＬＳは、前端が集積ガイド２５０に当接しており、筐体２１の前側部２１Ａから引き離されているため、当該前側部２１Ａとの間に摩擦を生じること無く、集積台３１と共に円滑に下降することができる。
【０１２３】
この結果リジェクトカセット２１６は、第１の実施の形態と同様、集積紙幣ＢＬＳの最上面と上部ガイド２９との間隔をほぼ集積間隔ＤＣに保つことができ、次に放出される紙幣ＢＬを詰まらせること無く集積紙幣ＢＬＳの上に集積させることができる。
【０１２４】
以上の構成によれば、第３の実施の形態によるリジェクトカセット２１６は、集積台３１の集積面３１Ｓを水平面に対し前方へ傾斜させると共に、その前端に伸縮可能な集積ガイド２５０の下端を取り付け、当該集積ガイド２５０の上端を上部ガイド２９よりも上側において筐体２１に取り付けた。これによりリジェクトカセット２１６は、集積紙幣ＢＬＳを集積ガイド２５０により支持して集積面３１Ｓ上に保持できるので、集積台３１を集積紙幣ＢＬＳと共に下降させる際に、集積ガイド２５０を伸張させながら、筐体２１の前側部２１Ａに対する摩擦力の発生を阻止して円滑に下降させることができる。
【０１２５】
［４．第４の実施の形態］
第４の実施の形態では、第１の実施の形態によるリジェクトカセット１６に代えて、図３（Ａ）と対応する図９（Ａ）に示すリジェクトカセット３１６が用いられる。
【０１２６】
リジェクトカセット３１６は、第１の実施の形態によるリジェクトカセット１６と比較して、２個の紙幣突当部４０及び集積スプリング３３が省略されると共に２個の集積ガイド３５０を有する点が相違するものの、他の部分については同様に構成されている。
【０１２７】
集積ガイド３５０は、巻取型のスプリングとなっており、細長い薄板状でなる板状部３５１が巻取部３５２に巻き取られた構成となっている。
【０１２８】
板状部３５１は、薄く細長い金属板でなり、長手方向に関し容易に撓むようになされている。この板状部３５１の一端は、集積台３１の前端に対し、他端を上方に向けるようにして固定されている。また板状部３５１の後面は、摩擦係数が比較的高くなっており、紙幣ＢＬの前端を滑らせないようになっている。
【０１２９】
巻取部３５２は、内部に所定の巻取機構を有すると共に、いわゆる定荷重ばねが組み込まれており、板状部３５１に対し常にほぼ一定の荷重を加えて巻き取る。また巻取部３５２は、板状部３５１を巻き取る力よりも強い力が反対方向に加えられると、加えられた力に応じた長さだけ当該板状部３５１を引き出す。
【０１３０】
この巻取部３５２は、上部ガイド２９の上側において筐体２１に固定されており、板状部３５１の引き込み口が下方を向いている。すなわち巻取部３５２は、板状部３５１を上部ガイド２９の下方からほぼ一定の力で引き込んで巻き取り、また加えられる外力に応じて当該板状部３５１を引き出して上部ガイド２９の下方に到達させるようになされている。
【０１３１】
以上の構成において、第４の実施の形態によるリジェクトカセット３１６は、集積台３１に紙幣ＢＬが集積されていないときには、集積ガイド３５０の巻取部３５２によって板状部３５１を巻き取ることにより、集積台３１を最も上側に位置させる。この状態でリジェクトカセット３１６は、放出部２２から放出された紙幣ＢＬを前下方へ進行させ、板状部３５１に衝突させる。
【０１３２】
このときリジェクトカセット３１６は、紙幣ＢＬの前端を筐体２１の前側部２１Ａに当接させること無く、板状部３５１の後面に当接させた状態で、集積台３１の集積面３１Ｓ上に載置することができる。
【０１３３】
すなわちリジェクトカセット３１６は、集積台３１の集積面３１Ｓ上に載置された紙幣ＢＬについて、板状部３５１の後面によりその前端を支持し、前下方への滑降を防ぐことができる。
【０１３４】
その後リジェクトカセット２１６は、集積台３１に紙幣ＢＬが順次集積されてその重量が増加してくると、巻取部３５２から板状部３５１をその荷重の増加分に応じた長さずつ徐々に引き出しながら、集積台３１を下降させる。
【０１３５】
このとき集積紙幣ＢＬＳは、前端が板状部３５１に当接しており、筐体２１の前側部２１Ａから引き離されているため、当該前側部２１Ａとの間に摩擦を生じることが無い。また集積紙幣ＢＬＳは、板状部３５１に対し摺動すること無く共に下降するため、原理的に板状部３５１との間にも摩擦が発生しない。このため集積紙幣ＢＬＳは、集積台３１と共に円滑に下降することができる。
【０１３６】
この結果リジェクトカセット３１６は、第１の実施の形態と同様、集積紙幣ＢＬＳの最上面と上部ガイド２９との間隔をほぼ集積間隔ＤＣに保つことができ、次に放出される紙幣ＢＬを詰まらせること無く集積紙幣ＢＬＳの上に集積させることができる。
【０１３７】
特にリジェクトカセット３１６は、巻取部３５２を上部ガイド２９の上側に設けたことにより、集積台３１及び集積紙幣ＢＬＳを下降させる際に、板状部３５１のうち内部空間２１Ｓ内に新たに露出する部分を上側に位置させる。
【０１３８】
すなわちリジェクトカセット３１６は、集積紙幣ＢＬＳが収納可能な最大の枚数に達するときまで、当該集積紙幣ＢＬＳを板状部３５１に対し一切摺動させることが無く、原理的に摩擦を生じることが無いため、集積台３１及び集積紙幣ＢＬＳを極めて円滑に下降させることができる。
【０１３９】
以上の構成によれば、第４の実施の形態によるリジェクトカセット３１６は、集積台３１の集積面３１Ｓを水平面に対し前方へ傾斜させると共に、その前端に集積ガイド３５０における板状部３５１の一端を取り付け、当該板状部３５１を巻き取る巻取部３５２を上部ガイド２９よりも上側において筐体２１に取り付けた。これによりリジェクトカセット３１６は、集積紙幣ＢＬＳを板状部３５１により支持して集積面３１Ｓ上に保持できると共に、巻取部３５２から板状部３５１を引き出しながら集積台３１を集積紙幣ＢＬＳと共に下降させることができるので、当該集積紙幣ＢＬＳの筐体２１の前側部２１Ａに対する摩擦力の発生を阻止して、円滑に下降させることができる。
【０１４０】
［５．第５の実施の形態］
第５の実施の形態では、第１の実施の形態によるリジェクトカセット１６に代えて、図３（Ａ）と対応する図１０（Ａ）に示すリジェクトカセット４１６が用いられる。
【０１４１】
リジェクトカセット４１６は、第１の実施の形態によるリジェクトカセット１６と比較して、集積ローラ４６０が追加されている点が相違するものの、他の部分については同様に構成されている。
【０１４２】
集積ローラ４６０は、一般的な円筒状のローラを潰して扁平にしたような形状、すなわち中心軸を左右方向に向けた楕円柱状となっており、この楕円柱の中心軸と一致するように回転軸４６０Ｘより貫通されている。しかるに集積ローラ４６０における回転軸４６０Ｘから周側面までの距離は、楕円における長軸の箇所において最も長くなり、短軸の箇所において最も短くなっている。
【０１４３】
また集積ローラ４６０は、紙幣制御部１１（図２）の制御に基づき、図示しないアクチュエータから伝達される駆動力により、回転軸４６０Ｘを回転中心として、矢印Ｒ２方向（図１０（Ａ）における反時計方向）に回転するようになされている。さらに集積ローラ４６０は、上部ガイド２９に穿設された所定の孔部から後下側のおおむね半分を内部空間２１Ｓ内へ突出させている。
【０１４４】
因みにリジェクトカセット４１６には、２個の集積ローラ４６０が左右方向に間隔を空けて設けられている。
【０１４５】
この集積ローラ４６０は、集積面３１Ｓの法線であって回転軸４６０Ｘを通過する仮想的な直線に沿った方向（以下これを集積法線方向と呼び、図中に破線で示す）に楕円の短軸を向けているとき、図１０（Ａ）に示したように、集積面３１Ｓと上部ガイド２９との間の上下方向に関する距離をほぼ集積間隔ＤＣとしており、且つその周側面を集積面３１Ｓ又は集積紙幣ＢＬＳの最上面と当接させる。
【０１４６】
また集積ローラ４６０は、集積法線方向に楕円の短軸以外、例えば長軸を向けているとき、図１０（Ｂ）に示すように、集積面３１Ｓと上部ガイド２９との間の上下方向に関する距離を集積間隔ＤＣよりも広げる。
【０１４７】
換言すれば、このとき集積ローラ４６０は、集積台３１を、又は集積台３１及び集積紙幣ＢＬＳを、集積スプリング３３の弾性力と釣り合う高さよりも押し下げている。
【０１４８】
このように集積ローラ４６０は、回転することにより、集積法線方向における回転軸４６０Ｘから外周面までの距離（以下これを集積法線距離ＤＮと呼ぶ）を変化させ、これに応じて集積台３１及び集積紙幣ＢＬＳの高さを押し下げるようになされている。換言すれば、集積ローラ４６０は、集積台３１に対しカムのように作用することになる。
【０１４９】
以上の構成において、第５の実施の形態によるリジェクトカセット４１６は、搬送部１３（図２）から紙幣が搬送される前に、図１０（Ａ）に示したように集積法線方向に短軸を向けることにより、集積法線距離ＤＮを最小とする。
【０１５０】
ここで搬送部１３から紙幣ＢＬが搬送されると、リジェクトカセット４１６は、放出部２２によりこれを下方へ搬送すると共に、集積ローラ４６０を矢印Ｒ２方向へ勢い良く回転させることにより、集積法線距離ＤＮを急激に拡大する。
【０１５１】
このとき集積台３１は、勢い良く押し下げられて集積スプリング３３を圧縮することにより、図１１（Ａ）に示すように集積ローラ４６０から引き離され、当該集積ローラ４６０との間に僅かな隙間を形成する。換言すれば、集積台３１は、勢い良く回転する集積ローラ４６０により、下方へ弾かれるようにして下降し、当該集積ローラ４６０から引き離される。
【０１５２】
下降した集積台３１は、集積スプリング３３の弾性力（復元力）が作用することによりやがて上方への移動に転じる。
【０１５３】
これと並行してリジェクトカセット４１６は、放出部２２によって紙幣ＢＬを引き続き下方へ搬送することにより、当該紙幣ＢＬの先端を集積台３１の集積面３１Ｓ又は集積紙幣ＢＬＳの最上面に当接させて前下方へ向ける。
【０１５４】
続いてリジェクトカセット４１６は、放出部２２によってこの紙幣ＢＬをさらに搬送することにより、その先端部分を集積ローラ４６０と集積台３１との隙間に進行させる。
【０１５５】
その後集積台３１は、集積スプリング３３の作用により上昇し、図１１（Ｂ）に示すように、集積ローラ４６０との間に紙幣ＢＬを間に挟み込む。この状態でリジェクトカセット４１６は、集積ローラ４６０を矢印Ｒ２方向へさらに回転させ、当該集積ローラ４６０と紙幣ＢＬとの間に作用する摩擦力を利用することにより、集積台３１との間に挟み込んだ紙幣ＢＬを前下方へ進行させ、適切な集積位置に近づけていく。
【０１５６】
その後紙幣ＢＬは、その先端を紙幣突当部４０のビルストッパ４３に当接させて静止する。このときリジェクトカセット４１６は、紙幣ＢＬに対し集積ローラ４６０の回転によりさらに前下方へ向かう力を加えてしまうものの、ビルストッパ４３に形成された段差により、紙幣ＢＬの先端を下方へ潜り込ませること無く当接した状態を維持することができる。
【０１５７】
因みにリジェクトカセット４１６は、集積台３１上に集積紙幣ＢＬＳが集積されている場合にも、図１１（Ａ）及び（Ｂ）に示した場合と同様に、集積ローラ４６０を回転させることにより、集積台３１及び集積紙幣ＢＬＳを一体として下方へ弾くように下降させ、形成された隙間に紙幣ＢＬを進行させることができる。
【０１５８】
このようにリジェクトカセット４１６は、紙幣ＢＬを新たに集積台３１上又は集積紙幣ＢＬＳ上に集積する際、集積ローラ４６０を回転させて当該集積ローラ４６０と集積台３１又は集積紙幣ＢＬＳとの間に隙間を形成し、紙幣ＢＬの先端をこの隙間に入り込ませると共に、集積ローラ４６０との摩擦力によりこの紙幣ＢＬを前下方へ進行させる。
【０１５９】
これによりリジェクトカセット４１６は、搬送部１３から搬送されてくる紙幣ＢＬを集積台３１又は集積紙幣ＢＬＳと上部ガイド２９との間で詰まらせること無く、集積台３１上に整然と集積することができる。
【０１６０】
このとき集積ローラ４６０は、回転することにより、集積台３１を下方へ弾いて当該集積台３１との間に紙幣ＢＬを進行させるための隙間を形成する機能と、当該集積台３１との間に挟み込んだ紙幣ＢＬを前下方へ進行させる機能とを、いずれも果たすことができる。
【０１６１】
またリジェクトカセット４１６は、紙幣突当部４０を有することにより、集積台３１上に集積された集積紙幣ＢＬＳを円滑に下降させる等、第１の実施の形態と同様の作用効果を奏し得る。
【０１６２】
以上の構成によれば、第５の実施の形態によるリジェクトカセット４１６は、搬送部１３から搬送されてきた紙幣ＢＬを放出部２２により下方へ搬送して放出する際、左右方向への投影形状が楕円状である集積ローラ４６０を回転させることにより、集積台３１を弾いて下方へ移動させ、集積ローラ４６０と集積台３１との間に隙間を形成して紙幣ＢＬの先端を進行させ、さらに集積ローラ４６０との摩擦力により当該紙幣ＢＬを前下方へ進行させる。これによりリジェクトカセット４１６は、紙幣ＢＬを集積台３１又は集積紙幣ＢＬＳと上部ガイド２９との間で詰まらせること無く、集積台３１上に整然と集積することができる。
【０１６３】
［６．他の実施の形態］
なお上述した第１の実施の形態においては、紙幣突当部４０の後面上部にビルストッパ４３を設け、その後面部分を左右方向への投影形状が鋸歯状となるような段差状とする場合について述べた。
【０１６４】
しかしながら本発明はこれに限らず、例えば周知の凹凸形状とする等、紙幣ＢＬの前端部分に対する摩擦が大きく、当該紙幣ＢＬが集積紙幣ＢＬＳと摩擦低減材４２との隙間に滑落することを防止できるような種々の形状としても良い。或いは、傾斜角度θが比較的小さい場合等、紙幣ＢＬの前端が集積紙幣ＢＬＳと摩擦低減材４２との隙間に滑落する可能性が低い場合には、紙幣突当部４０からビルストッパ４３を省略しても良い。第２及び第５の実施の形態についても同様である。
【０１６５】
また上述した第２の実施の形態においては、集積ガイド１５０の後面（すなわち集積対向面）にビルストッパ１５１を設けるようにした場合について述べた。
【０１６６】
しかしながら本発明はこれに限らず、ビルストッパ４３の場合と同様に、例えば周知の凹凸形状とする等、紙幣ＢＬの前端部分に対する摩擦が大きく、当該紙幣ＢＬが集積紙幣ＢＬＳと集積ガイド１５０との隙間に滑落することを防止できるような種々の形状としても良い。或いは、傾斜角度θが比較的小さい場合等、紙幣ＢＬの前端が集積紙幣ＢＬＳと集積ガイド１５０との隙間に滑落する可能性が低い場合には、集積ガイド１５０からビルストッパ１５１を省略しても良い。
【０１６７】
さらに上述した第１の実施の形態においては、テープ状に構成された摩擦低減材４２を基板４１の後面に貼り付けることにより、紙幣突当部４０の後面における摩擦係数を低減する場合について述べた。
【０１６８】
しかしながら本発明はこれに限らず、例えば基板４１の後側表面を研磨し、或いはフッ素樹脂等の樹脂材料を塗布することにより、紙幣突当部４０の後面における摩擦係数を低減させても良い。第２の実施の形態についても同様である。
【０１６９】
さらに上述した第２の実施の形態においては、集積ガイド１５０の前面を平坦とし、筐体２１の前側部２１Ａとの間に隙間を空けるようにした場合について述べた。
【０１７０】
しかしながら本発明はこれに限らず、例えば集積ガイド１５０の前側にローラを取り付けると共にこのローラを筐体２１の前側部２１Ａに当接させ、或いは前側部２１Ａの後側に離散的にローラを取り付けると共にこのローラを集積ガイド１５０の前面に当接させて、集積台３１が上下方向へ移動する際にこのローラを回転させるようにしても良い。これにより、例えば集積台３１の集積面３１Ｓ上に集積された集積紙幣ＢＬＳの重量が大きくなったときに、筐体２１内において集積台３１が傾き、或いは前方向へ移動することによる、集積ガイド１５０と前側部２１Ａとの間における摩擦力の発生を未然に防止することができる。
【０１７１】
さらに上述した第２の実施の形態においては、集積ガイド１５０を細長い直方体状とし、集積台３１の前面に当該集積ガイド１５０の下端近傍を取り付けるようにした場合について述べた。
【０１７２】
しかしながら本発明はこれに限らず、例えば集積ガイド１５０の下端近傍を後方へ向けて略Ｌ字状に折り曲げ、この折り曲げられた部分を集積台３１の下面に取り付けるようにしても良い。すなわち集積ガイド１５０は、集積台３１のいずれかの箇所に取り付けられることにより、集積ガイド１５０のうち集積紙幣ＢＬＳの前端と対向する面（すなわち集積対向面）を、集積台３１の前端又はその近傍の上側（すなわち紙幣を集積する方向）に位置させて、集積紙幣ＢＬＳの前端と当接して支持することができれば良い。
【０１７３】
さらに上述した第３の実施の形態においては、集積ガイド２５０の最も内側の円筒における上端近傍を、上部ガイド２９よりも上側において筐体２１に固定するようにした場合について述べた。
【０１７４】
しかしながら本発明はこれに限らず、例えば集積ガイド２５０の最も内側の円筒を特に固定せず、アクチュエータ等を利用した周知の伸縮機構を組み込み、集積台３１の下降に伴って当該集積ガイド２５０を伸張させていくようにしても良い。
【０１７５】
さらに上述した第３の実施の形態については、集積ガイド２５０を互いに外径が段階的に相違する複数の中空の円筒状部材を順次入れ子状に組み合わせた構成として上下方向に伸縮させるようにした場合について述べた。
【０１７６】
しかしながら本発明はこれに限らず、例えば互いに外径が段階的に相違する複数の中空の角柱状部材を順次入れ子状に組み合わせた構成としても良い。この場合、後面側の表面に摩擦係数を低減するような加工を施しても良い。或いは、例えば上下に細長く互いに同等の外径を有する複数の円柱状部材を上下方向にスライド可能な係合部材により係合して集積ガイドを構成し、隣接する円柱状部材同士を互いにスライドさせことにより上下方向の全長を伸縮させるようにしても良い。
【０１７７】
さらに上述した第４の実施の形態においては、集積ガイド３５０の巻取部３５２に定荷重ばねを組み込み、板状部３５１に対し常にほぼ一定の荷重を加えて巻き取るようにした場合について述べた。
【０１７８】
しかしながら本発明はこれに限らず、種々のばねを用いるようにしても良い。例えば、図９（Ａ）及び（Ｂ）とそれぞれ対応する図１２（Ａ）及び（Ｂ）に示すように、集積ガイド５５０は、薄板状でなり可撓性を有する板状部５５１の一端が集積台３１の前端に固定されており、他端をコイルばね５５２の一端と直列に接続している。コイルばね５５２は、筐体２１に対し回転可能に取り付けられたプーリ５５３の上側を通るように掛け渡された上で、筐体２１に固定された固定端子５５４に他端が取り付けられている。
【０１７９】
この集積ガイド５５０は、集積台３１上に紙幣ＢＬが集積されて重量が増加すると、コイルばね５５２を伸張させて板状部５５１を上部ガイド２９の下方へ引き出しながら集積台３１を下降させる。このとき集積ガイド５５０は、第４の実施の形態による集積ガイド３５０と同様、集積紙幣ＢＬＳの前端を板状部５５１に当接させることにより、前側部２１Ａとの間に摩擦を生じさせること無く、円滑に下降させることができる。
【０１８０】
さらに上述した第４の実施の形態においては、板状部３５１の後面における摩擦係数を比較的高めた場合について述べた。
【０１８１】
しかしながら本発明はこれに限らず、例えば集積台３１の傾斜角度θが比較的小さく、新たに集積された紙幣ＢＬが集積紙幣ＢＬＳと板状部３５１の後面との間に入り込む可能性が低い場合等に、板状部３５１の後面における摩擦係数を特に高めないようにしても良い。
【０１８２】
さらに上述した第５の実施の形態においては、集積ローラ４６０を楕円柱状、すなわち左右方向への投影形状が楕円形となるような形状とする場合について述べた。
【０１８３】
しかしながら本発明はこれに限らず、例えば図１３（Ａ）に示す集積ローラ６６０のように、左右方向への投影形状が頂点を丸めた三角形となるような形状としても良い。この場合、第５の実施の形態と同様、中心軸６６０Ｘを中心に集積ローラ６６０を回転させることにより、集積台３１を弾くようにして下方へ移動させて隙間を形成すると共に紙幣ＢＬとの間の摩擦により前下方へ進行させることができる。
【０１８４】
或いは、図１３（Ｂ）に示す集積ローラ７６０のように、一般的な円柱状としても良い。この場合、中心軸７６０Ｘを中心に回転することにより、集積台３１との間に隙間を形成することはできないものの、紙幣ＢＬとの摩擦によりその先端を集積台３１又は集積紙幣ＢＬＳの最上面との間に引き込み、さらに前下方へ進行させることができる。
【０１８５】
さらに上述した第１の実施の形態においては、リジェクトカセット１６に２本の紙幣突当部４０を設けるようにした場合について述べた。
【０１８６】
しかしながら本発明はこれに限らず、リジェクトカセット１６に１本又は３本以上の紙幣突当部４０を設けるようにしても良い。また各紙幣突当部４０については、同一形状である必要は無く、例えば左右方向或いは上下方向の長さを互いに相違させても良く、さらには一部の紙幣突当部４０にのみビルストッパ４３を設けるようにしても良い。
【０１８７】
これと同様に、第２の実施の形態においては、リジェクトカセット１１６に１本又は３本以上の集積ガイド１５０を設けても良く、また３本以下若しくは５本以上の紙幣突当部１４０を設けても良い。第３の実施の形態における集積ガイド２５０、第４の実施の形態における集積ガイド３５０及び第５の実施の形態における集積ローラ４６０についても、これらと同様、その数を１又は３以上としても良い。
【０１８８】
さらに上述した第１の実施の形態においては、集積スプリング３３の弾性力を利用し、集積台３１の集積面３１Ｓ上に集積された集積紙幣ＢＬＳの重量に応じて当該集積台３１及び集積紙幣ＢＬＳを下降させるようにした場合について述べた。
【０１８９】
しかしながら本発明はこれに限らず、例えば集積スプリング３３を省略すると共に、図示しないアクチュエータ、各種ギアやベルト等の組み合わせにより集積台駆動部を構成し、必要に応じて集積台３１の高さを検出するセンサ等も利用して、この集積台駆動部により集積台３１を上下方向へ移動させるようにしても良い。第２〜第５の実施の形態についても同様である。
【０１９０】
さらに上述した第１の実施の形態においては、集積台３１の集積面３１Ｓ上における集積の集積方向及び当該集積台３１の移動方向を、いずれも上下方向、すなわち鉛直方向とする場合について述べた。
【０１９１】
しかしながら本発明はこれに限らず、例えば集積方向及び集積台３１の移動方向を上下方向（鉛直方向）に対し前後又は左右に所定角度傾いた方向とするようにしても良い。第２〜第５の実施の形態についても同様である。
【０１９２】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１９３】
さらに上述した第１の実施の形態においては、顧客との間で現金に関する取引処理を行う現金自動預払機１において、再利用すべきでないと鑑別された紙幣ＢＬを収納するリジェクトカセット１６に本発明を適用するようにした場合について述べた。
【０１９４】
しかしながらこれに限らず、例えば再利用すべき紙幣を収納する紙幣カセット１７等、紙幣を収納する種々の箇所に本発明を適用するようにしても良い。この場合、紙幣ＢＬを集積する集積台が水平面に対して傾斜角度θだけ傾斜していれば、本発明を適用することができる。第２〜第５の実施の形態についても同様である。
【０１９５】
さらに上述した第１の実施の形態においては、媒体としての紙幣ＢＬを取り扱う現金自動預払機１において当該紙幣ＢＬを集積して収納するリジェクトカセット１６に本発明を適用する場合について述べた。
【０１９６】
しかしながら本発明はこれに限らず、例えば金券や証券、或いは入場券や葉書等、種々の紙葉状の媒体を取り扱う種々の装置において当該媒体を集積して収納する箇所に本発明を適用するようにしても良い。第２〜第５の実施の形態についても同様である。
【０１９７】
さらに上述した第２の実施の形態においては、放出部としての放出部２２と、集積台としての集積台３１と、集積台移動部としての移動ガイド３１Ａ、移動軸３２及び集積スプリング３３と、集積ガイドとしての集積ガイド１５０と、固定ガイドとしての紙幣突当部１４０とによって媒体収納装置としてのリジェクトカセット１１６を構成する場合について述べた。
【０１９８】
しかしながら本発明はこれに限らず、その他種々の構成でなる放出部と、集積台と、集積台移動部と、集積ガイドと、固定ガイドとによって媒体収納装置を構成するようにしても良い。
【０１９９】
さらに上述した第２の実施の形態においては、取得部としての入出金部１２と、搬送部としての搬送部１３と、放出部としての放出部２２と、集積台としての集積台３１と、集積台移動部としての移動ガイド３１Ａ、移動軸３２及び集積スプリング３３と、集積ガイドとしての集積ガイド１５０と、固定ガイドとしての紙幣突当部１４０とによって媒体取引装置としての現金自動預払機１を構成する場合について述べた。
【０２００】
しかしながら本発明はこれに限らず、その他種々の構成でなる取得部と、搬送部と、放出部と、集積台と、集積台移動部と、集積ガイドと、固定ガイドとによって媒体取引装置を構成するようにしても良い。
【産業上の利用可能性】
【０２０１】
本発明は、水平面に対し傾斜された集積台上に紙葉状の媒体を集積する種々の装置でも利用できる。
【符号の説明】
【０２０２】
１……現金自動預払機、１０……紙幣入出金機、１２……入出金部、１３……搬送部、１６、１１６、２１６、３１６、４１６……リジェクトカセット、１７……紙幣カセット、２１……筐体、２１Ａ……前側部、２１Ｓ……内部空間、２２……放出部、２９……上部ガイド、３１……集積台、３１Ｓ……集積面、３２……移動軸、３３……集積スプリング、４０、１４０……紙幣突当部、４２、１４２……摩擦低減材、４３、１４３、１５１、……ビルストッパ、１５０、２５０、３５０、５５０……集積ガイド、３５１……板状部、３５２……巻取部、４６０……集積ローラ、ＢＬ……紙幣、ＢＬＳ……集積紙幣、ＤＣ……集積間隔、ＤＮ……集積法線距離、θ……傾斜角度。
【図１】
2014218353.tif 000003
【図２】
2014218353.tif 000004
【図３】
2014218353.tif 000005
【図４】
2014218353.tif 000006
【図５】
2014218353.tif 000007
【図６】
2014218353.tif 000008
【図７】
2014218353.tif 000009
【図８】
2014218353.tif 000010
【図９】
2014218353.tif 000011
【図１０】
2014218353.tif 000012
【図１１】
2014218353.tif 000013
【図１２】
2014218353.tif 000014
【図１３】
2014218353.tif 000015
【図１４】
2014218353.tif 000016